(57)【要約】本開示は、概して、無線通信に関し、より具体的には、ビーム管理を実施するためのシステムおよび方法に関する。ビーム管理を実施するためのシステムおよび方法が、開示される。一実施形態では、方法は、第１の基準信号と第２の基準信号との間の関係を決定するステップであって、第１および第２の基準信号は、チャネル性質、伝送性質、および受信性質といった性質のうちの同一または類似する１つ以上のものを共有する、ステップと、第１および第２の基準信号を無線通信ノードに伝送するステップとを含む。
2020519145.tif 000002
【特許請求の範囲】
【請求項１】
方法であって、
第１の基準信号と第２の基準信号との間の関係を決定することであって、前記第１および第２の基準信号は、チャネル性質、伝送性質、および受信性質といった性質のうちの同一または類似する１つ以上のものを共有する、ことと、
前記第１および第２の基準信号を無線通信ノードに伝送することと
を含む、方法。
【請求項２】
前記第１の基準信号は、第１の基準信号タイプであり、前記第２の基準信号は、前記第１の基準信号タイプと異なる第２の基準信号タイプである、請求項１に記載の方法。
【請求項３】
Ｎ個のリソースの第１のセットは、前記第１の基準信号に配分され、Ｍ個のリソースの第２のセットは、前記第２の基準信号に配分され、Ｎ＝ＭＫであり、Ｎ、Ｍ、およびＫは、正の整数であり、前記第２のセットの１個のリソースおよび前記第１のセットの個別のＫ個のリソースは、順番に、チャネル性質、伝送性質、および受信性質といった性質のうちの同一または類似する１つ以上のものを共有する、請求項１に記載の方法。
【請求項４】
前記Ｋの値は、前記無線通信ノードに示される、請求項３に記載の方法。
【請求項５】
前記第１および第２の基準信号は、それぞれ、第１および第２のリソースを使用して伝送され、前記方法はさらに、前記第１および第２のリソースをグループ化し、前記無線通信ノードに配分されるべき第１のリソースグループを形成することを含む、請求項１に記載の方法。
【請求項６】
前記第１の基準信号は、チャネル状態情報基準信号を備え、前記第２の基準信号は、同期信号ブロックを備え、前記第１のリソースは、第１の複数のリソースブロックを備え、前記第２のリソースは、第２の複数のリソースブロックを備え、前記第１の複数のリソースブロックと関連付けられた伝送性質は、前記第２の複数のリソースブロックと関連付けられた伝送性質と異なる、請求項５に記載の方法。
【請求項７】
前記第１のリソースグループは、第１の通信リンクおよび第１のレポート設定と関連付けられる、請求項５に記載の方法。
【請求項８】
第３の基準信号と第４の基準信号との間の関係を確立することであって、前記第３の基準信号は、第３の基準信号タイプを備え、前記第４の基準信号は、前記第３の基準信号タイプと異なる第４の基準信号タイプを備え、前記第３および第４の基準信号は、チャネル性質、伝送性質、および受信性質といった性質のうちの同一または類似する１つ以上のものを共有する、ことと、
前記第３および第４の基準信号を前記無線通信ノードに伝送することと
をさらに含む、請求項１に記載の方法。
【請求項９】
前記第３および第４の基準信号は、それぞれ、第３および第４のリソースを使用して伝送され、前記方法はさらに、前記第３および第４のリソースをグループ化し、前記無線通信ノードに配分されるべき第２のリソースグループを形成することを含む、請求項８に記載の方法。
【請求項１０】
前記第３の基準信号は、チャネル状態情報基準信号を備え、前記第４の基準信号は、同期信号ブロックを備え、前記第３のリソースは、第３の複数のリソースブロックを備え、前記第４のリソースは、第４の複数のリソースブロックを備え、前記第３の複数のリソースブロックと関連付けられた伝送性質は、前記第４の複数のリソースブロックと関連付けられた伝送性質と異なる、請求項９に記載の方法。
【請求項１１】
前記第１および第２のリソースグループはそれぞれ、個別の第１および第２の通信リンクおよび共通レポート設定と関連付けられる、請求項９に記載の方法。
【請求項１２】
前記第１および第２のリソースグループはそれぞれ、個別の第１および第２の通信リンクおよび個別の第１および第２のレポート設定と関連付けられる、請求項９に記載の方法。
【請求項１３】
方法であって、
第１のリソースを使用して伝送される第１の基準信号を受信することと、
第２のリソースを使用して伝送される第２の基準信号を受信することであって、前記第１および第２の基準信号は、チャネル性質、伝送性質、および受信性質といった性質のうちの同一または類似する１つ以上のものを共有する、ことと、
前記第１の基準信号と関連付けられた第１の信号品質パラメータを測定することと、
少なくとも前記測定された第１の信号品質パラメータに基づいて、レポートを生成することと、
前記レポートを通信ノードに伝送することと
を含む、方法。
【請求項１４】
前記第１の基準信号は、第１の基準信号タイプであり、前記第２の基準信号は、前記第１の基準信号タイプと異なる第２の基準信号タイプである、請求項１３に記載の方法。
【請求項１５】
Ｎ個のリソースの第１のセットは、前記第１の基準信号に配分され、Ｍ個のリソースの第２のセットは、前記第２の基準信号に配分され、Ｎ＝ＭＫであり、Ｎ、Ｍ、およびＫは、正の整数であり、前記第２のセットの１個のリソースおよび前記第１のセットの個別のＫ個のリソースは、順番に、チャネル性質、伝送性質、および受信性質といった性質のうちの同一または類似する１つ以上のものを共有する、請求項１３に記載の方法。
【請求項１６】
前記Ｋの値のインジケーションを前記通信ノードからさらに受信する、請求項１５に記載の方法。
【請求項１７】
前記第１および第２のリソースは、グループ化され、第１のリソースグループを形成する、請求項１３に記載の方法。
【請求項１８】
前記第１の基準信号は、チャネル状態情報基準信号を備え、前記第２の基準信号は、同期信号ブロックを備え、前記第１のリソースは、第１の複数のリソースブロックを備え、前記第２のリソースは、第２の複数のリソースブロックを備え、前記第１の複数のリソースブロックと関連付けられた伝送性質は、前記第２の複数のリソースブロックと関連付けられた伝送性質と異なる、請求項１３に記載の方法。
【請求項１９】
第３のリソースを使用して伝送される第１のタイプの第３の基準信号を受信することと、
第４のリソースを使用して伝送される第２のタイプの第４の基準信号を受信することであって、前記第３および第４の基準信号は、チャネル性質、伝送性質、および受信性質といった性質のうちの同一または類似する１つ以上のものを共有する、ことと、
少なくとも前記第３の基準信号と関連付けられた第２の信号品質パラメータを測定することであって、前記レポートは、少なくとも前記測定された第１および第２の信号品質パラメータに基づく、ことと
をさらに含む、請求項１３に記載の方法。
【請求項２０】
前記第３および第４のリソースは、グループ化され、第２のリソースグループを形成する、請求項１９に記載の方法。
【請求項２１】
前記第３の基準信号は、チャネル状態情報基準信号を備え、前記第４の基準信号は、同期信号ブロックを備え、前記第３のリソースは、第３の複数のリソースブロックを備え、前記第４のリソースは、第４の複数のリソースブロックを備え、前記第３の複数のリソースブロックと関連付けられた伝送性質は、前記第４の複数のリソースブロックと関連付けられた伝送性質と異なる、請求項１９に記載の方法。
【請求項２２】
前記第１および第２のリソースグループはそれぞれ、個別の第１および第２の通信リンクと関連付けられ、前記第１および第２のリソースグループに関する情報は、前記レポート内に含有される、請求項１９に記載の方法。
【請求項２３】
前記第１のリソースグループは、第１の通信リンクと関連付けられ、前記レポートは、前記第１および第２のリソースの両方についての情報を含有する、請求項１３に記載の方法。
【請求項２４】
前記測定された第１の信号品質パラメータが所定の基準を満たさないとき、前記第２の基準信号と関連付けられた第２の信号品質パラメータを測定することをさらに含み、前記レポートはさらに、前記測定された第２の信号品質パラメータに基づく、請求項１３に記載の方法。
【請求項２５】
通信ノードであって、
第１の基準信号と第２の基準信号との間の関係を決定するための少なくとも１つのプロセッサであって、前記第１および第２の基準信号は、チャネル性質、伝送性質、および受信性質といった性質のうちの同一または類似する１つ以上のものを共有する、プロセッサと、
前記第１および第２の基準信号を無線通信ノードに伝送するように構成される送信機と
を備える、通信ノード。
【請求項２６】
前記第１の基準信号は、第１の基準信号タイプであり、前記第２の基準信号は、前記第１の基準信号タイプと異なる第２の基準信号タイプである、請求項２５に記載の通信ノード。
【請求項２７】
Ｎ個のリソースの第１のセットは、前記第１の基準信号に配分され、Ｍ個のリソースの第２のセットは、前記第２の基準信号に配分され、Ｎ＝ＭＫであり、Ｎ、Ｍ、およびＫは、正の整数であり、前記第２のセットの１個のリソースおよび前記第１のセットの個別のＫ個のリソースは、順番に、チャネル性質、伝送性質、および受信性質といった性質のうちの同一または類似する１つ以上のものを共有する、請求項２５に記載の通信ノード。
【請求項２８】
前記Ｋの値は、前記無線通信ノードに示される、請求項２７に記載の通信ノード。
【請求項２９】
前記第１および第２の基準信号は、それぞれ、第１および第２のリソースを使用して伝送され、メモリが、前記第１および第２のリソースをグループ化することによって形成される第１のリソースグループに関する情報を記憶し、前記第１のリソースグループは、前記無線通信ノードに配分される、請求項２５に記載の通信ノード。
【請求項３０】
前記第１の基準信号は、チャネル状態情報基準信号を備え、前記第２の基準信号は、同期信号ブロックを備え、前記第１のリソースは、第１の複数のリソースブロックを備え、前記第２のリソースは、第２の複数のリソースブロックを備え、前記第１の複数のリソースブロックと関連付けられた伝送性質は、前記第２の複数のリソースブロックと関連付けられた伝送性質と異なる、請求項２９に記載の通信ノード。
【請求項３１】
前記第１のリソースグループは、第１の通信リンクおよび第１のレポート設定と関連付けられる、請求項２９に記載の通信ノード。
【請求項３２】
前記少なくとも１つのプロセッサはさらに、第３の基準信号と第４の基準信号との間の関係を決定するように構成され、前記第３の基準信号は、第３の基準信号タイプを備え、前記第４の基準信号は、前記第３の基準信号タイプと異なる第４の基準信号タイプを備え、前記第３および第４の基準信号は、チャネル性質、伝送性質、および受信性質といった性質のうちの同一または類似する１つ以上のものを共有し、
前記送信機はさらに、第３および第４の基準信号を前記無線通信ノードに伝送するように構成される、
請求項２５に記載の通信ノード。
【請求項３３】
前記第３および第４の基準信号は、それぞれ、第３および第４のリソースを使用して伝送され、前記メモリはさらに、前記第３および第４のリソースをグループ化することによって形成される第２のリソースグループに関する情報を記憶し、前記第２のリソースグループは、前記無線通信ノードに配分される、請求項３２に記載の通信ノード。
【請求項３４】
前記第３の基準信号は、チャネル状態情報基準信号を備え、前記第４の基準信号は、同期信号ブロックを備え、前記第３のリソースは、第３の複数のリソースブロックを備え、前記第４のリソースは、第４の複数のリソースブロックを備え、前記第３の複数のリソースブロックと関連付けられた伝送性質は、前記第４の複数のリソースブロックと関連付けられた伝送性質と異なる、請求項３３に記載の通信ノード。
【請求項３５】
前記第１および第２のリソースグループはそれぞれ、個別の第１および第２の通信リンクおよび共通レポート設定と関連付けられる、請求項３３に記載の通信ノード。
【請求項３６】
前記第１および第２のリソースグループはそれぞれ、個別の第１および第２の通信リンクおよび個別の第１および第２のレポート設定と関連付けられる、請求項３３に記載の通信ノード。
【請求項３７】
第１の通信ノードであって、
受信機であって、前記受信機は、
第１のリソースを使用して伝送される第１の基準信号を受信することと、
第２のリソースを使用して伝送される第２の基準信号を受信することであって、前記第１および第２の基準信号は、チャネル性質、伝送性質、および受信性質といった性質のうちの同一または類似する１つ以上のものを共有する、ことと
を行うように構成される、受信機と、
少なくとも１つのプロセッサであって、前記少なくとも１つのプロセッサは、
前記第１の基準信号と関連付けられた第１の信号品質パラメータを決定することと、
少なくとも測定された第１の信号品質パラメータに基づいて、レポートを生成することと
を行うように構成される、少なくとも１つのプロセッサと、
前記レポートを第２の通信ノードに伝送するように構成される送信機と
を備える、第１の通信ノード。
【請求項３８】
前記第１の基準信号は、第１の基準信号タイプであり、前記第２の基準信号は、前記第１の基準信号タイプと異なる第２の基準信号タイプである、請求項３７に記載の第１の通信ノード。
【請求項３９】
Ｎ個のリソースの第１のセットは、前記第１の基準信号に配分され、Ｍ個のリソースの第２のセットは、前記第２の基準信号に配分され、Ｎ＝ＭＫであり、Ｎ、Ｍ、およびＫは、正の整数であり、前記第２のセットの１個のリソースおよび前記第１のセットの個別のＫ個のリソースは、順番に、チャネル性質、伝送性質、および受信性質といった性質のうちの同一または類似する１つ以上のものを共有する、請求項３７に記載の第１の通信ノード。
【請求項４０】
前記受信機はさらに、前記Ｋの値のインジケーションを前記通信ノードから受信するように構成される、請求項３９に記載の第１の通信ノード。
【請求項４１】
前記第１および第２のリソースは、グループ化され、前記第１の通信ノードに配分される第１のリソースグループを形成する、請求項３７に記載の第１の通信ノード。
【請求項４２】
前記第１の基準信号は、チャネル状態情報基準信号を備え、前記第２の基準信号は、同期信号ブロックを備え、前記第１のリソースは、第１の複数のリソースブロックを備え、前記第２のリソースは、第２の複数のリソースブロックを備え、前記第１の複数のリソースブロックと関連付けられた伝送性質は、前記第２の複数のリソースブロックと関連付けられた伝送性質と異なる、請求項３７に記載の第１の通信ノード。
【請求項４３】
前記受信機はさらに、
第３のリソースを使用して伝送される第１のタイプの第３の基準信号を受信することと、
第４のリソースを使用して伝送される第２のタイプの第４の基準信号を受信することであって、前記第３および第４の基準信号は、チャネル性質、伝送性質、および受信性質といった性質のうちの同一または類似する１つ以上のものを共有することと
を行うように構成され、
前記少なくともプロセッサはさらに、少なくとも前記第３の基準信号と関連付けられた第２の信号品質パラメータを決定するように構成され、前記レポートは、少なくとも前記測定された第１および第２の信号品質パラメータに基づく、
請求項３７に記載の第１の通信ノード。
【請求項４４】
前記第３および第４のリソースは、グループ化され、前記第１の通信ノードに配分される第２のリソースグループを形成する、請求項４３に記載の第１の通信ノード。
【請求項４５】
前記第３の基準信号は、チャネル状態情報基準信号を備え、前記第４の基準信号は、同期信号ブロックを備え、前記第３のリソースは、第３の複数のリソースブロックを備え、前記第４のリソースは、第４の複数のリソースブロックを備え、前記第３の複数のリソースブロックと関連付けられた伝送性質は、前記第４の複数のリソースブロックと関連付けられた伝送性質と異なる、請求項４３に記載の第１の通信ノード。
【請求項４６】
前記第１および第２のリソースグループはそれぞれ、個別の第１および第２の通信リンクと関連付けられ、前記第１および第２のリソースグループに関する情報は、前記レポート内に含有される、請求項３７に記載の第１の通信ノード。
【請求項４７】
前記第１のリソースグループは、第１の通信リンクと関連付けられ、前記レポートは、前記第１および第２のリソースの両方についての情報を含有する、請求項３７に記載の第１の通信ノード。
【請求項４８】
前記少なくとも１つのプロセッサはさらに、
前記決定された第１の信号品質パラメータが所定の基準を満たさないとき、前記第２の基準信号と関連付けられた第２の信号品質パラメータを決定するように構成され、前記レポートはさらに、前記測定された第２の信号品質パラメータに基づく、
請求項３７に記載の第１の通信ノード。
【発明の詳細な説明】
【技術分野】
【０００１】
本開示は、概して、無線通信に関し、より具体的には、ビーム管理を実施するためのシステムおよび方法に関する。
【背景技術】
【０００２】
ビームレポートのための現在のアーキテクチャでは、チャネル状態情報、すなわち、基準信号（ＣＳＩ−ＲＳ）のみが、ビーム掃引、ビーム決定、およびビームレポート（例えば、ビームＩＤおよび層１（Ｌ１）基準信号受信電力（ＲＳＲＰ）等をレポートする）等のビーム管理機能のために使用される。新しい通信リンクを確立するための新しいビームを検索するとき、無線チャネルが、例えば、ヒト、建物、または他の障害物によって遮断されると、ビーム管理のためにＣＳＩ−ＲＳを使用する短所（すなわち、限定された空間カバレッジ）は、増加される。より具体的には、ＵＥ特有のＣＳＩ−ＲＳは、その個別のビームによって提供される狭い空間カバレッジに限定される。例えば、次世代ノードＢ（ｇＮｏｄｅＢまたはｇＮＢ）等の基地局（ＢＳ）が、１，０２４個のアンテナ要素を含む、多重入力／多重出力（ＭＩＭＯ）アンテナアレイを有する場合、伝送のための狭ビームの数は、最大４，０９６個のビームになり得る。これらのビームのうちの個別のＵＥとの通信のために好適または「最良」なものを識別するために、非周期的サブ帯域チャネル品質インジケータ（ＣＱＩ）測定が、物理アップリンク共有チャネル（ＰＵＳＣＨ）を介して、ＵＥによって送信されてもよい。しかしながら、そのようなＣＱＩ測定は、個別の伝送点（ＴＲＰ）からのＲＦビームが現在のＵＥ場所を含有するサブエリア上にフォーカスされるときに伝送されなければならない。
そのようなビーム管理機能を実施することは、過度の遅延を生じさせ、システム利用非効率をもたらし得る。例えば、６０ＫＨｚサブキャリア間隔における最大数十ミリ秒の遅延が、生じ得、これは、実際のネットワークにおける多くの用途において容認不可能である。加えて、上記に述べられたように、ＣＳＩ−ＲＳを単独で使用するとき、いったん無線リンクが遮断される、またはビームリンク失敗が生じると、基地局によって伝送されるＣＳＩ−ＲＳ信号と関連付けられた狭ビーム幅を前提として、新しいビームを識別することは、困難である。したがって、限定された空間カバレッジに起因するボトルネックが、ＣＳＩ−ＲＳのみを利用する、現在のビーム管理技法によって観察される。したがって、ビーム管理機能を実施する改良された方法の必要がある。
【発明の概要】
【課題を解決するための手段】
【０００３】
本明細書に開示される例示的実施形態は、先行技術に提示される問題のうちの１つ以上のものに関連する問題を解決し、かつ添付の図面と関連して検討されるときに以下の発明を実施するための形態を参照することによって容易に明白になるであろう、付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本発明の範囲内に留まったまま行われることができることが、本開示を熟読する当業者に明白となるであろう。一実施形態では、方法は、第１の基準信号と第２の基準信号との間の関係を記憶するステップであって、第１の基準信号は、第１の基準信号タイプであって、第２の基準信号は、第１の基準信号タイプと異なる第２の基準信号タイプであって、第１および第２の基準信号は、チャネル性質、伝送性質、および受信性質といった性質のうちの同一または類似する１つ以上のものを共有する、ステップと、第１および第２の基準信号を無線通信ノードに伝送するステップとを含む。
【０００４】
さらなる実施形態では、方法は、第１のリソースを使用して伝送される、第１のタイプの第１の基準信号を受信するステップと、第２のリソースを使用して伝送される、第１のタイプと異なる第２のタイプの第２の基準信号を受信するステップであって、第１および第２の基準信号は、チャネル性質、伝送性質、および受信性質といった性質のうちの同一または類似する１つ以上のものを共有する、ステップと、第１の基準信号と関連付けられた第１の信号品質パラメータを測定するステップと、少なくとも測定された第１の信号品質パラメータに基づいて、ビームレポートを生成するステップと、ビームレポートを通信ノードに伝送するステップとを含む。
【０００５】
別の実施形態では、通信ノードは、第１の基準信号と第２の基準信号との間の関係を記憶するためのメモリであって、第１の基準信号は、第１の基準信号タイプであって、第２の基準信号は、第１の基準信号タイプと異なる第２の基準信号タイプであって、第１および第２の基準信号は、チャネル性質、伝送性質、および受信性質といった性質のうちの同一または類似する１つ以上のものを共有する、メモリと、第１および第２の基準信号を無線通信ノードに伝送するように構成される、送信機とを含む。
【０００６】
さらに別の実施形態では、通信ノードは、受信機であって、第１のリソースを使用して伝送される第１のタイプの第１の基準信号を受信することと、第２のリソースを使用して伝送される第１のタイプと異なる第２のタイプの第２の基準信号を受信することとを行うように構成され、第１および第２の基準信号は、チャネル性質、伝送性質、および受信性質といった性質のうちの同一または類似する１つ以上のものを共有する、受信機と、少なくとも１つのプロセッサであって、第１の基準信号と関連付けられた第１の信号品質パラメータを決定することと、少なくとも測定された第１の信号品質パラメータに基づいて、ビームレポートを生成することとを行うように構成される、少なくとも１つのプロセッサと、ビームレポートを第２の通信ノードに伝送するように構成される、送信機とを含む。
【図面の簡単な説明】
【０００７】
本発明の種々の例示的実施形態は、以下の図を参照して下記に詳細に説明される。図面は、例証目的のためだけに提供され、単に、本発明の読者の理解を促進するための本発明の例示的実施形態を描写する。したがって、図面は、本発明の範疇、範囲、または可用性の限定と見なされるべきではない。明確にするため、かつ例証の容易性のため、これらの図面は、必ずしも、正確な縮尺で描かれていないことに留意されたい。
【０００８】
【図１】図１は、本開示の種々の実施形態による、本明細書に開示される技法が実装され得る、例示的セルラー通信ネットワーク１００を図示する。
【０００９】
【図２】図２は、本発明のいくつかの実施形態による、例示的基地局およびユーザ機器デバイスのブロック図を図示する。
【００１０】
【図３】図３は、いくつかの実施形態による、２つ以上の異なるタイプのＲＳリソースを単一リソースグループにグループ化する、または関連付ける、概念ブロック図を図示する。
【００１１】
【図４】図４は、いくつかの実施形態による、４つのＣＳＩ−ＲＳリソースから成る第２のリソースセットとＱＣＬされている、２つのＳＳブロックリソースから成る第１のリソースセットの概念ブロック図を図示する。
【００１２】
【図５】図５Ａおよび５Ｂは、いくつかの実施形態による、第１のリソースセットと第２のリソースセットとの間の例示的ビットマップベースの関連付けの概念ブロック図を図示する。
【００１３】
【図６】図６は、いくつかの実施形態による、４つのＣＳＩ−ＲＳリソースおよび２つのＳＳブロックリソースについての情報が１つのビームレポートウィンドウの間に伝送される、信号略図を図示する。
【００１４】
【図７】図７は、いくつかの実施形態による、１つのビームレポートウィンドウ内でレポートされる、第１、第２、および第３のリソースセットのブロック図を図示する。
【００１５】
【図８】図８は、いくつかの実施形態による、ＣＳＩ−ＲＳリソースのみを含有する第１のリソースセットと、ＳＳブロックリソースのみを含有する第２のリソースセットとを図示し、それぞれ、１つのビームレポートと関連付けられる、個別のリンクと関連付けられる。
【００１６】
【図９】図９は、いくつかの実施形態による、ＣＳＩ−ＲＳリソースのみから成り、第１のリンクおよび第１のビームレポート設定と関連付けられた第１のリソースセットと、ＳＳブロックリソースのみから成り、第２のリンクおよび第２のビームレポート設定と関連付けられた第２のリソースセットとを図示する。
【００１７】
【図１０】図１０は、いくつかの実施形態による、周期的ＣＳＩ−ＲＳおよびＳＳブロック信号の両方が物理アップリンク制御チャネル（ＰＵＣＣＨ）リソースを介して伝送されるビームレポートを生成するために使用される、信号略図を図示する。
【図１１】（記載なし）
【発明を実施するための形態】
【００１８】
本発明の種々の例示的実施形態は、当業者が本発明を作製および使用することを可能にするために、付随の図を参照して下記に説明される。当業者に明白となるであろうように、本開示を熟読後、本明細書に説明される実施例の種々の変更または修正が、本発明の範囲から逸脱することなく、行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本発明の範囲内に留まったまま、並べ替えられることができる。したがって、当業者は、本明細書に開示される方法および技法が、種々のステップまたは行為をサンプル順序において提示し、本発明が、明示的にそうではないことが述べられない限り、提示される具体的順序または階層に限定されないことを理解するであろう。
【００１９】
図１は、本開示のある実施形態による、本明細書に開示される技法が実装され得る、例示的無線通信ネットワーク１００を図示する。例示的通信ネットワーク１００は、基地局（ＢＳ）１０２と、通信リンク１１０（例えば、無線通信チャネル）を介して相互に通信し得る、ユーザ機器（ＵＥ）デバイス１０４と、地理的エリア１０１にオーバーレイする、概念セル１２６、１３０、１３２、１３４、１３６、１３８、および１４０のクラスタとを含む。図１では、ＢＳ１０２およびＵＥ１０４は、セル１２６の地理的境界内に含有される。他のセル１３０、１３２、１３４、１３６、１３８、および１４０はそれぞれ、その配分された帯域幅で動作し、適正な電波カバレッジをその意図されるユーザに提供する、少なくとも１つの基地局を含んでもよい。例えば、基地局１０２は、配分されたチャネル伝送帯域幅で動作し、適正なカバレッジをＵＥ１０４に提供し得る。基地局１０２およびＵＥ１０４は、それぞれ、ダウンリンク電波フレーム１１８およびアップリンク電波フレーム１２４を介して、通信してもよい。各電波フレーム１１８／１２４は、サブフレーム１２０／１２６にさらに分割されてもよく、これは、データシンボル１２２／１２８を含んでもよい。本開示では、基地局（ＢＳ）１０２およびユーザ機器（ＵＥ）１０４は、概して、本明細書に開示される方法を実践し得る、「通信ノード」の非限定的実施例として本明細書に説明される。そのような通信ノードは、本発明の種々の実施形態によると、無線および／または有線通信することが可能であり得る。
【００２０】
ネットワーク１００では、基地局１０２から伝送される信号は、上記で述べられたドップラー拡散、ドップラー偏移、遅延拡散、マルチパス干渉等の望ましくないチャネル特性を生じさせる、環境および／または動作条件に悩まされ得る。例えば、マルチパス信号成分が、自然および／または人工物体による、伝送される信号の反射、散乱、および回折の結果として生じ得る。受信機アンテナ１１４では、多数の信号が、異なる遅延、減衰、および位相を伴って、多くの異なる方向から到着し得る。概して、最初に受信されたマルチパス成分（典型的には、通視線（ＬＯＳ）成分）の到着の瞬間と最後に受信されたマルチパス成分（典型的には、非通視線（ＮＬＯＳ）成分）との間の時間差は、遅延拡散と呼ばれる。信号と種々の遅延、減衰、および位相の組み合わせは、シンボル間干渉（ＩＳＩ）およびチャネル間干渉（ＩＣＩ）等の歪曲を受信された信号内にもたらし得る。歪曲は、受信および有用な情報への受信された信号の変換を複雑にし得る。例えば、遅延拡散は、ＩＳＩを無線フレーム１２４内に含有される有用な情報（データシンボル）内に生じさせ得る。
【００２１】
図２は、相互間で、無線通信信号、例えば、ＯＦＤＭ／ＯＦＤＭＡ信号を伝送および受信するために、基地局２０２と、ＵＥ２０４とを含む、例示的無線通信システム２００のブロック図を図示する。システム２００は、本明細書に詳細に説明される必要はない、既知または従来の動作特徴をサポートするように構成される、コンポーネントおよび要素を含んでもよい。一例示的実施形態では、システム２００は、上記に説明されるように、図１の無線通信環境１００等の無線通信環境内でデータシンボルを伝送および受信するために使用されることができる。
【００２２】
基地局２０２は、ＢＳ送受信機モジュール２１０と、ＢＳアンテナ２１２と、ＢＳプロセッサモジュール２１４と、ＢＳメモリモジュール２１６と、ネットワーク通信モジュール２１８とを含み、各モジュールは、必要に応じて、データ通信バス２２０を介して、相互に結合および相互接続される。ＵＥ２０４は、ＵＥ送受信機モジュール２３０と、ＵＥアンテナ２３２と、ＵＥメモリモジュール２３４と、ＵＥプロセッサモジュール２３６とを含み、各モジュールは、必要に応じて、データ通信バス２４０を介して、相互に結合および相互接続される。ＢＳ２０２は、任意の無線チャネルまたは本明細書に説明されるようなデータの伝送のために好適な当技術分野において公知の他の媒体であり得る、通信チャネル２５０を介して、ＵＥ２０４と通信する。
【００２３】
当業者によって理解されるであろうように、システム２００はさらに、図２に示されるモジュール以外の任意の数のモジュールを含んでもよい。当業者は、本明細書に開示される実施形態に関連して説明される、種々の例証的ブロック、モジュール、回路、および処理論理が、ハードウェア、コンピュータ可読ソフトウェア、ファームウェア、または任意の実践的それらの組み合わせにおいて実装されてもよいことを理解するであろう。ハードウェア、ファームウェア、およびソフトウェアの本可換性および互換性を明確に図示するために、種々の例証的コンポーネント、ブロック、モジュール、回路、およびステップが、概して、その機能性の観点から説明される。そのような機能性が、ハードウェア、ファームウェア、またはソフトウェアとして実装されるかどうかは、特定の用途および全体的システム上に課される設計制約に依存する。本明細書に説明される概念に精通する者は、そのような機能性を特定の用途毎に好適な様式で実装してもよいが、そのような実装決定は、本発明の範囲を限定するものとして解釈されるべきではない。
【００２４】
いくつかの実施形態によると、ＵＥ送受信機２３０は、本明細書では、それぞれ、アンテナ２３２に結合される、ＲＦ送信機および受信機回路を含む、「アップリンク」送受信機２３０と称され得る。デュプレックススイッチ（図示せず）が、代替として、時間デュプレックス方式において、アップリンク送信機または受信機をアップリンクアンテナに結合してもよい。同様に、いくつかの実施形態によると、ＢＳ送受信機２１０は、本明細書では、それぞれ、アンテナ２１２に結合される、ＲＦ送信機および受信機回路を含む、「ダウンリンク」送受信機２１０と称され得る。ダウンリンクデュプレックススイッチは、代替として、時間デュプレックス方式において、ダウンリンク送信機または受信機をダウンリンクアンテナ２１２に結合してもよい。２つの送受信機２１０および２３０の動作は、アップリンク受信機が、無線伝送リンク２５０にわたる伝送の受信のために、アップリンクアンテナ２３２に結合されるのと同時に、ダウンリンク送信機が、ダウンリンクアンテナ２１２に結合されるように、時間的に協調される。好ましくは、最小限の保護時間のみをデュプレックス方向の変化間に伴って、近接時間同期が存在する。
【００２５】
ＵＥ送受信機２３０および基地局送受信機２１０は、無線データ通信リンク２５０を介して通信し、特定の無線通信プロトコルおよび変調スキームをサポートし得る、好適に構成されたＲＦアンテナ配列２１２／２３２と協働するように構成される。いくつかの例示的実施形態では、ＵＥ送受信機６０８および基地局送受信機６０２は、ロングタームエボリューション（ＬＴＥ）および新しい５Ｇ規格および同等物等の産業規格をサポートするように構成される。しかしながら、本発明は、必ずしも、特定の規格および関連付けられたプロトコルに用途が限定されないことを理解されたい。むしろ、ＵＥ送受信機２３０および基地局送受信機２１０は、将来的規格またはその変形例を含む、代替または付加的無線データ通信プロトコルをサポートするように構成されてもよい。
【００２６】
種々の実施形態によると、ＢＳ２０２は、例えば、進化型ノードＢ（ｅＮＢ）、サービングｅＮＢ、標的ｅＮＢ、フェムトステーション、またはピコステーションであってもよい。いくつかの実施形態では、ＵＥ２０４は、携帯電話、スマートフォン、携帯情報端末（ＰＤＡ）、タブレット、ラップトップコンピュータ、ウェアラブルコンピューティングデバイス等の種々のタイプのユーザデバイスにおいて具現化されてもよい。プロセッサモジュール２１４および２３６は、本明細書に説明される機能を実施するように設計される、汎用プロセッサ、コンテンツアドレス指定可能メモリ、デジタル信号プロセッサ、特定用途向け集積回路、フィールドプログラマブルゲートアレイ、任意の好適なプログラマブル論理デバイス、離散ゲートまたはトランジスタ論理、離散ハードウェアコンポーネント、または任意のそれらの組み合わせとともに実装または実現されてもよい。このように、プロセッサは、マイクロプロセッサ、コントローラ、マイクロコントローラ、状態機械、または同等物として実現され得る。プロセッサはまた、コンピューティングデバイスの組み合わせ、例えば、デジタル信号プロセッサおよびマイクロプロセッサ、複数のマイクロプロセッサ、デジタル信号プロセッサコアと併せた１つ以上のマイクロプロセッサ、または任意の他のそのような構成の組み合わせとして実装されてもよい。
【００２７】
さらに、本明細書に開示される実施形態に関連して説明される方法またはアルゴリズムのステップは、直接、それぞれ、プロセッサモジュール２１４および２３６によって実行される、ハードウェア、ファームウェア、ソフトウェアモジュール、または任意の実践的それらの組み合わせにおいて具現化されてもよい。メモリモジュール２１６および２３４は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の任意の他の形態の記憶媒体として実現され得る。この点において、メモリモジュール２１６および２３４は、それぞれ、プロセッサモジュール２１０および２３０が、それぞれ、メモリモジュール２１６および２３４から情報を読み取り、そこに情報を書き込み得るように、プロセッサモジュール２１０および２３０に結合されてもよい。メモリモジュール２１６および２３４はまた、その個別のプロセッサモジュール２１０および２３０の中に統合されてもよい。いくつかの実施形態では、メモリモジュール２１６および２３４はそれぞれ、それぞれ、プロセッサモジュール２１０および２３０によって実行される命令の実行の間、一時的変数または他の中間情報を記憶するために、キャッシュメモリを含んでもよい。メモリモジュール２１６および２３４はまたそれぞれ、それぞれ、プロセッサモジュール２１０および２３０によって実行されるための命令を記憶するために、不揮発性メモリを含んでもよい。ネットワーク通信モジュール２１８は、概して、基地局送受信機６０２と、基地局２０２と通信するように構成される、他のネットワークコンポーネントおよび通信ノードとの間の双方向通信を可能にする、基地局２０２のハードウェア、ソフトウェア、ファームウェア、処理論理、および／または他のコンポーネントを表す。例えば、ネットワーク通信モジュール２１８は、インターネットまたはＷｉＭＡＸトラフィックをサポートするように構成されてもよい。典型的展開では、限定ではないが、ネットワーク通信モジュール２１８は、基地局送受信機２１０が、従来のＥｔｈｅｒｎｅｔ（登録商標）ベースのコンピュータネットワークと通信し得るように、８０２．３Ｅｔｈｅｒｎｅｔ（登録商標）インターフェースを提供する。このように、ネットワーク通信モジュール２１８は、コンピュータネットワーク（例えば、移動交換局（ＭＳＣ））への接続のための物理インターフェースを含んでもよい。
【００２８】
国際モバイル電気通信（ＩＭＴ）アドバンストシステムの性能要件を満たすために、ＬＴＥ／ＬＴＥアドバンスト規格は、周波数、時間、および／または空間ドメイン内の無線ネットワークを最適化するためのいくつかの特徴を提案している。無線技術の継続的進化に伴って、将来的無線アクセスネットワークは、無線トラフィックの急成長をサポートすることが可能になるであろうことが予期される。これらの特徴のうち、システム帯域幅の拡大は、リンクおよびシステム容量を改良するための１つの簡単な方法であって、これはすでに、ＬＴＥアドバンストシステムにおけるキャリア集約の展開によって試験および確認されている。
【００２９】
容量の需要が増加するにつれて、モバイル産業および学術研究機関は、システム帯域幅を１００ＭＨｚを上回って増加させることにより関心を持つようになっている。加えて、６ＧＨｚの周波数を下回って動作するスペクトルリソースは、より輻輳した状態になっているため、６ＧＨｚを上回る高周波数通信が、１００ＭＨｚを上回るまたはさらに最大１ＧＨｚのシステム帯域幅をサポートするために非常に好適である。
【００３０】
いくつかの実施形態では、基地局とＵＥとの間の通信は、「ミリ波通信」とも呼ばれる、６ＧＨｚを上回る信号周波数を用いて実装される。しかしながら、広または超広スペクトルリソースを使用するとき、膨大な伝搬損失が、高動作周波数（すなわち、６ＧＨｚを上回る）によって誘発され得る。これを解決するために、大規模ＭＩＭＯ、例えば、１つのノードに対して１，０２４個のアンテナ要素を使用する、アンテナアレイおよびビーム形成（ＢＦ）訓練技術が、ビーム整合を達成し、十分に高アンテナ利得を取得するために採用されている。アンテナアレイ技術から利益を享受しながら、実装コストを低く保つために、アナログ移相器が、ｍｍ波ビーム形成（ＢＦ）を実装するために魅力的となっているが、これは、位相の数が、有限であって、他の制約（例えば、振幅制約）が、可変位相偏移ベースのＢＦを提供するためにアンテナ要素に課され得ることを意味する。そのような事前に規定されたビームパターンを前提として、後続データ伝送のために、例えば、最良なＮ個のビームを識別するための可変位相偏移ベースのＢＦ訓練標的である、アンテナ加重ベクトル（ＡＷＶ）コードブックが、決定されることができる。
【００３１】
ＭＩＭＯシステムにおけるビーム管理を実施するために、ＢＳ１０２は、ＢＳ１０２のカバレッジ範囲内の１つ以上のＵＥ（例えば、ＵＥ１０４）のために、それぞれ、ＣＳＩ−ＲＳを含有する、複数のビームを伝送してもよい。ＣＳＩ−ＲＳを含有する、特定のビームの受信に応じて、ＵＥ１０４は、受信されたＣＳＩ−ＲＳに基づいて、チャネル推定を実施してもよい。その後、ＵＥ１０４は、ＢＳ１０２に、ＵＥ１０４によって選択されたビームと関連付けられたチャネル状態情報（ＣＳＩ）信号を伝送してもよい。ＵＥ１０４は、ＣＳＩ−ＲＳを含有する、選択されたビームのＣＳＩに基づいて、ビーム形成を実施してもよい。その後、ＢＳ１０２は、受信されたＣＳＩに基づいて、ユーザデータをプリコーディグすることによって、ＵＥのためのユーザデータを伝送してもよい。前述のように、ビーム形成されたＣＳＩ−ＲＳは、アンテナ利得を有するが、ＣＳＩ−ＲＳの狭ビーム幅は、ＵＥ１０４がＣＳＩ−ＲＳ信号を受信しない場合があることを意味し得る。実施例に関して、ＵＥが、第１のビームと第２のビームとの間にある場合、ＵＥ１０４は、ＣＳＩ−ＲＳを受信しない場合がある。現在のＬＴＥ−Ａ通信システムは、ＣＳＩ−ＲＳのために、限定された数（例えば、８つ）のアンテナポートを有するため、アンテナポートは、通常、垂直次元において、十分なカバレッジを提供しない。これは、セルカバレッジ内のいくつかのＵＥのみが、ＣＳＩ−ＲＳを正常に受信し得る一方、他のＵＥは、これらの狭ビームのうちの１つを受信しない場合があることを意味する。したがって、改良されたビーム管理方法が、望ましい。
【００３２】
本発明の種々の実施形態では、ビーム管理のために提供されるＣＳＩ−ＲＳ信号に加え、１つ以上の第２のタイプの基準信号（ＲＳ）が、より広いビームカバレッジを提供するために利用される。いくつかの実施形態では、第２のタイプのＲＳは、同期信号（ＳＳ）ブロックによって提供され、これは、少なくとも一次同期信号（ＰＳＳ）、二次同期信号（ＳＳＳ）、および物理ブロードキャストチャネル（ＰＢＣＨ）を含む。いくつかの実施形態では、ＰＢＣＨと関連付けられた復調基準信号（ＤＭＲＳ）が、ビーム管理目的のために使用されることができる。本明細書で使用されるように、「ＳＳブロック」は、ＰＢＣＨのＰＳＳ、ＳＳＳ、またはＤＭＲＳのうちの任意の１つ以上のものを指し、これは、同一伝送（Ｔｘ）ビームを共有することができる。ＣＳＩ−ＲＳおよびＳＳ−ブロック信号は両方とも、規定された無線−伝搬方向を伴う、ビーム形成された信号である。ＳＳブロックは、セル特有の構成されたＲＳと見なされ得る一方、ＣＳＩ−ＲＳは、ＵＥ特有の構成されたＲＳと見なされ得る。形成器は、セル内の広域を被覆し、広域内の全てのＵＥにサービス提供することができるが、しかしながら、その空間分解能は、低い（すなわち、広ビームとして伝送される）。他方では、ＣＳＩ−ＲＳは、狭ビーム内により高い空間分解能（すなわち、狭ビーム）およびより強い信号を提供するが、狭いエリアのみを被覆する。したがって、ＣＳＩ−ＲＳおよびＳＳブロック信号の両方の組み合わせは、広域カバレッジおよび高空間分解能の両方を提供し、現在のチャネルが、遮断される、弱い、および／または歪曲されるとき、新しいビームのより高速かつより効率的識別を可能にすることができる。
（異なるＲＳのグループ化／関連付け）
【００３３】
図３は、２つ以上の異なるタイプのＲＳリソース（例えば、ＣＳＩ−ＲＳリソースおよびＳＳブロックリソース）を、１つ以上のＵＥに配分され得る、単一リソースグループにグループ化する、または関連付ける概念ブロック図を図示する。種々の実施形態によると、リソースグループ３００は、ＣＳＩ−ＲＳおよびＳＳブロックリソースが同一または類似するチャネル性質を共有するとき、ＣＳＩ−ＲＳリソースおよびＳＳリソースをグループ化することによって作成されてもよい。本明細書で使用されるように、用語「リソース」は、信号をそこに伝送するために、１つ以上のＵＥに配分され得る、任意のネットワークまたはプロトコルリソース（例えば、リソースブロック、リソース要素、スロット、サブフレーム、サブキャリア等）を指す。２つ以上のタイプのリソースが、同一または類似するチャネル性質を共有し、ともにグループ化されるとき、そのようなリソースは、本明細書では、「擬似共有配置（ＱＣＬ）される」と呼ばれる。そのようなグループ化は、本明細書に説明されるように、ＢＳおよび／またはＵＥ等の通信ノードによって実施されてもよい。
【００３４】
種々の実施形態によると、２つ以上のリソースがＱＣＬされるべきであるかどうかを決定するためのチャネル性質は、（１）ドップラー拡散、（２）ドップラー偏移、（３）遅延拡散、（４）平均遅延、（５）平均利得、および（６）空間パラメータといった性質のうちの１つ以上のものを含むことができる。本明細書で使用されるように、「ドップラー拡散」は、１つの受信されたマルチパス成分に関する周波数ドメイン拡散を指し、「ドップラー偏移」は、キャリア周波数の観点からの受信機によって観察される１つのキャリア成分と送信機によって伝送されるキャリア成分との間の周波数差異を指し、「遅延拡散」は、最初に受信されたマルチパス成分（典型的には、通視線（ＬＯＳ）成分）の到着の瞬間と最後に受信されたマルチパス成分（典型的には、非通視線（ＮＬＯＳ）成分）との間の時間差異を指し、「平均遅延」は、各成分の累乗によって乗算される全てのマルチパス成分の遅延の加重平均を指し、「平均利得」は、アンテナポートまたはリソース要素あたりの平均伝送電力を指し、「空間パラメータ」は、到着角（ＡｏＡ）、空間相関等の受信機によって観察されるマルチパス成分の空間ドメイン性質を指す。チャネル性質の本情報は、Ｌ−１またはより高いレベルのシグナリングによって、事前に定義または構成されることができる。例えば、その個別のパラメータ値が相互の５％または１０％以内であるとき、２つのチャネル性質が相互に類似することが事前に定義されることができる。
【００３５】
一実施形態では、例えば、ＣＳＩ−ＲＳリソースは、その個別のチャネルが同一または類似するドップラー偏移性質を共有する場合、ＳＳブロックリソースとＱＣＬされる。本インスタンスでは、ＳＳブロック信号（すなわち、ＰＳＳおよび／またはＳＳＳ）は、例えば、ＬＴＥ協調マルチポイント（ＣｏＭＰ）シナリオに類似する複数のＴＲＰシナリオにおいて、ＣＳＩ−ＲＳおよびＳＳブロック信号がＢＳの異なるＴＲＰ（例えば、異なるアンテナポートまたは要素）から伝送されるとき、ＣＳＩ−ＲＳ信号を同期させるための基準信号として使用されることができる。そのようなシナリオでは、ＢＳは、全てのそのアンテナポートのタイミングパラメータを認知するため、そのアンテナポートおよび要素は全て、相互に同期または協調されることができる。したがって、ＵＥによって受信されたＳＳブロック信号は、ＵＥが、対応するＱＣＬされるＣＳＩ−ＲＳと同期し、その後、ＢＳとのさらなる通信のために、ＣＳＩ−ＲＳに対応するチャネル（ビーム）を利用することを可能にすることができる。
【００３６】
一実施形態では、ＣＳＩ−ＲＳリソースは、その個別のチャネルが同一または類似するドップラー偏移および空間パラメータ性質を共有する場合、ＳＳブロックリソースとＱＣＬされる。本インスタンスでは、ＳＳブロック信号（すなわち、ＰＳＳおよび／またはＳＳＳ）は、ＣＳＩ−ＲＳおよびＳＳブロック信号がＢＳの異なるＴＲＰから伝送されるとき、ＣＳＩ−ＲＳ信号を同期させるための基準信号として使用されることができる。
【００３７】
さらなる実施形態では、ＣＳＩ−ＲＳリソースは、その個別のチャネルが同一または類似するドップラー偏移および平均遅延性質を共有する場合、ＳＳブロックリソースとＱＣＬされる。本インスタンスでは、ＳＳブロック信号（すなわち、ＰＳＳおよび／またはＳＳＳ）は、ＣＳＩ−ＲＳおよびＳＳブロック信号がＢＳの同一ＴＲＰから伝送されるとき、ＣＳＩ−ＲＳ信号を同期させるための基準信号として使用されることができる。
【００３８】
さらなる実施形態では、ＣＳＩ−ＲＳリソースは、その個別のチャネルが同一または類似するドップラー偏移、平均遅延および空間パラメータ性質を共有する場合、ＳＳブロックリソースとＱＣＬされる。本インスタンスでは、ＳＳブロック信号（すなわち、ＰＳＳおよび／またはＳＳＳ）は、ＣＳＩ−ＲＳおよびＳＳブロック信号がＢＳの同一ＴＲＰから伝送されるとき、ＣＳＩ−ＲＳ信号を同期させるための基準信号として使用されることができる。
【００３９】
さらなる実施形態では、ＣＳＩ−ＲＳリソースは、その個別のチャネルが同一または類似するドップラー偏移および平均遅延性質を共有する場合、ＳＳブロックリソースとＱＣＬされる。本インスタンスでは、ＳＳブロック信号（すなわち、ＰＳＳおよび／またはＳＳＳ）は、ＣＳＩ−ＲＳおよびＳＳブロック信号がＢＳの同一ＴＲＰから伝送されるとき、ＣＳＩ−ＲＳ信号を同期させるための基準信号として使用されることができる。
【００４０】
別の実施形態では、ＣＳＩ−ＲＳリソースは、その個別のチャネルが同一または類似するドップラー拡散、ドップラー偏移、遅延拡散、および平均遅延性質を共有する場合、ＳＳブロックリソースとＱＣＬされる。本インスタンスでは、ＳＳブロックは、周波数および時間追跡のために、ＣＳＩ−ＲＳのための基準信号として使用されることができる。無線ネットワーク通信が可能な種々の通信ノードでは、発振器の中心周波数および位相は、時変であり得る。加えて、ＵＥの移動はまた、ＵＥの視点から、キャリアの周波数および時間位相にある影響を及ぼし得る。したがって、ＣＳＩ−ＲＳポートの近隣の同一または近傍ポートを有する、ＳＳブロックが、高度に正確な時間および周波数誤差推定のために使用されることができる。
【００４１】
さらに別の実施形態では、ＣＳＩ−ＲＳリソースは、その個別のチャネルが同一または類似するドップラー拡散、ドップラー偏移、遅延拡散、平均遅延、および空間パラメータ性質を共有する場合、ＳＳブロックリソースとＱＣＬされる。本インスタンスでは、ＳＳブロックは、類似伝送（Ｔｘ）ビームがＳＳブロックおよびＣＳＩ−ＲＳ信号の両方のために伝送されるとき、周波数および時間追跡のために、ＣＳＩ−ＲＳのための基準信号として使用されることができる。
【００４２】
別の実施形態では、１つ以上のＣＳＩ−ＲＳリソースは、それらが１つのＳＳブロックと類似チャネル性質を有するかどうかに基づいて、ＵＥによってグループ化されることができる。いくつかの実施形態では、ＳＳブロックは、ＣＳＩ−ＲＳグループ化のための基準シグナリングとしての役割を果たす。そのようなシナリオでは、ＳＳブロック識別（ＩＤ）値は、グループＩＤとして使用されることができる。
【００４３】
いくつかの実施形態では、ＣＳＩ−ＲＳリソースおよびＳＳブロックリソースは、リソースがＴＲＰベースあたりの同一または類似する伝送性質を共有する場合（伝送／リソース設定のために）、１つ以上のＵＥに配分されるリソースグループにグループ化されることができる。いくつかの実施形態では、伝送性質は、（１）リソースが、同一ＴＲＰアンテナグループ、例えば、Ｔｘパネルを使用するかどうか、（２）リソースが、同一物理場所（例えば、同一ＢＳまたは同一ＴＲＰ）からであるかどうか、（３）リソースが、相互に同時に伝送され得るかどうか、および（４）リソースが、相互に同時に伝送され得ないかどうかを含む。そのような実施形態では、２つ以上のタイプのリソースが同一または類似する伝送性質を共有し、ともにグループ化されるとき、そのようなリソースは、本明細書では、「擬似共有配置（ＱＣＬ）される」と呼ばれる。
【００４４】
いくつかの実施形態では、ＣＳＩ−ＲＳリソースおよびＳＳブロックリソースは、それらがＵＥベースあたりの同一または類似する受信性質を共有する場合（ＵＥレポートのために使用される）、リソースグループにグループ化されることができる。いくつかの実施形態では、これらの受信性質は、（１）リソースが、同一ＵＥアンテナグループによって受信され得るかどうか、（２）リソースが、あるＵＥ受信モードおよび／またはビームによって受信されるかどうか、（３）リソースが、同時に受信され得るかどうか、および（４）リソースが、同時に受信され得ないかどうかを含む。これらの実施形態では、２つ以上のタイプのリソースが同一または類似する受信性質を共有し、ともにグループ化されるとき、そのようなリソースは、本明細書では、「擬似共有配置（ＱＣＬ）される」と呼ばれる。
（異なるＲＳグループを横断したＱＣＬ引継）
【００４５】
いくつかの実施形態では、２つのＣＳＩ−ＲＳグループが、それぞれ、ＢＳによって、２つの異なるＳＳブロックとＱＣＬされ、ＵＥが、レポートを通して、２つの異なるＳＳブロックをグループ化する場合、これは、２つのＣＳＩ−ＲＳグループが、それらがＱＣＬされるＳＳブロックと同一チャネル、伝送、および／または受信性質を共有することを含意する。他の実施形態では、ＢＳが、２つのＳＳブロックを相互にＱＣＬされるものとして構成し、次いで、ＢＳが、第１のＣＳＩ−ＲＳ−ＡをＳＳブロックのうちの１つとＱＣＬされるものとして構成し、第２のＣＳＩ−ＲＳ−Ｂを他のＳＳブロックとＱＣＬされるものとして構成する場合、これは、これらのＣＳＩ−ＲＳ−ＡおよびＣＳＩ−ＲＳ−Ｂセットが相互にＱＣＬされることを含意する。
（ＣＳＩ−ＲＳリソース（セット）とＳＳリソース（セット）との間の関連付け／関係構成の方法）
【００４６】
いくつかの実施形態では、ＱＣＬグループ化は、アンテナポート毎またはリソース毎に実施されることができる。本構成では、リソースセットは、同一数のポート／リソースを伴う別のリソースセットとＱＣＬされる、すなわち、それぞれ、ポート毎またはリソース毎にＱＣＬされる。代替実施形態では、第１のリソースセットは、異なる数のリソースを有する第２のリソースセットとＱＣＬされることができる。言い換えると、Ｍ個のポート／リソースは、Ｎ個のポート／リソースとＱＣＬされることができ、ＭおよびＮはそれぞれ、相互に等しい場合とそうではない場合がある、正の整数である。
【００４７】
図４は、２つのＳＳブロックリソース＃１および＃２から成る第１のリソースセットが４つのＣＳＩ−ＲＳリソース＃１〜＃４から成る第２のリソースセットとＱＣＬされる、実施例を図示する。いくつかの実施形態では、そのようなＱＣＬ関連付けは、全ての関わるリソースが、上記に議論されるように、同一または類似するチャネル、伝送、および／または受信性質を共有することを含意する。代替実施形態では、第１のリソースセット内のリソースのサブセットは、第２のリソースセット内のリソースの個別のサブセットとＱＣＬされてもよい。いくつかの実施形態では、リソースのサブセット間の関連付けは、ビットマップによって規定されてもよい。代替実施形態では、第１のリソースセットは、ＳＳブロックリソース１〜Ｋ１と、ＣＳＩ−ＲＳリソース１〜Ｘ１とを含み、Ｘ１は、Ｋ１の整数倍である（すなわち、Ｘ１＝Ｍ×Ｋ１であって、Ｍ、Ｋ１、およびＸ１は、正の整数である）。各ＳＳブロックリソースは、順次順序において、Ｍ  ＣＳＩ−ＲＳリソースとＱＣＬされる。例えば、ＳＳブロックリソース＃１は、ＣＳＩ−ＲＳリソース＃１〜＃ＭとＱＣＬされ、ＳＳブロックリソース＃２は、ＣＳＩ−ＲＳリソース＃Ｍ＋１〜＃２ＭとＱＣＬされる等となり、ＳＳブロックリソース＃Ｋ１は、ＣＳＩ−ＲＳリソース＃Ｍ×（Ｋ１−１）＋１〜＃Ｍ×Ｋ１とＱＣＬされる。いくつかの実施形態では、Ｋ１の値は、ＢＳ１０２によって決定され、次いで、ＵＥ１０４に示される（例えば、伝送される）。
【００４８】
図５Ａは、本発明の一実施形態による、例示的ビットマップベースの関連付けを図示する。図５Ａに示されるように、第１のリソースセットは、３つのＳＳブロックリソース＃１〜＃３を備える一方、第２のリソースセットは、４つのＣＳＩ−ＲＳリソース＃１〜＃４を備える。４ビットビットマップは、第１のリソースセット内のリソースのそれぞれとＱＣＬされる、第２のリソースセット内のリソースを規定することができ、「１」の値は、関連付けを示し、「０」の値は、関連付けがないことを示す。図５Ａの実施例では、ＳＳブロックリソース＃１と関連付けられた０１１０のビットマップは、それがＣＳＩ−ＲＳリソース＃２および＃３と関連付けられたことを示す。同様に、ＳＳブロック＃２と関連付けられた１０００のビットマップは、それがＣＳＩ−ＲＳリソース＃１と関連付けられたことを示す。ビットマップは、送信される第１のリソース内の最後のリソースブロックであるＳＳブロック＃３に関しては必要ない。なぜなら、それは、ＳＳブロック＃１および＃２と関連付けられていない第２のリソースセット内の任意の残りのリソース（すなわち、ＣＳＩ−ＲＳリソース＃４）と関連付けられると仮定されるからである。第１および第２のリソースセットの個別のサブセットの本関連付けは、図５Ｂに示される。
（ハイブリッドＳＳおよびＣＳＩ−ＲＳベースのビーム管理）
【００４９】
いくつかの実施形態では、ＣＳＩ−ＲＳおよびＳＳブロックは両方とも、１つのビームレポートとともに構成される／関連付けられる（すなわち、ＣＳＩ−ＲＳおよびＳＳブロックリソースについての情報は、１つのレポートウィンドウまたは周期内で送信される）。チャネル状態情報（ＣＳＩ）入手と対照的に、ビームレポートは、ＲＳＲＰを最大限にする等の１つ以上の事前に規定されたルール、および／またはＣＳＩ−ＲＳのチャネル性質が条件を満たさない（例えば、いずれも最大ＲＳＲＰを提供しない）場合のみ、ＳＳブロックがレポートされ得る等の１つ以上の優先順位ルールに従って、リソースおよび／またはリソース＋ポート選択を可能にする。いくつかの実施形態では、異なるＲＳについての情報は、同一レポートフォーマット内でレポートまたは示されることができる（例えば、ＣＲＩ−ＲＳリソースインジケータ（ＣＲＩ）、ＳＳブロックＩＤ等）。例えば、図６は、４つのＣＳＩ−ＲＳリソースおよび２つのＳＳブロックリソースについての情報が、１つのビームレポートウィンドウの間、ＵＥ１０４によってＢＳ１０２に伝送される、信号略図を図示する。
【００５０】
いくつかの実施形態では、リソースセットは、２つ以上の異なるタイプのリソース（例えば、ＣＳＩ−ＲＳリソースおよびＳＳブロックリソース）を含有することができる。図７は、第１、第２、および第３のリソースセットのブロック図を図示し、これは、１つのビームレポートウィンドウ内でレポートされる。第１のリソースセットは、ＳＳブロックリソース１〜Ｋ１と、ＣＳＩ−ＲＳリソース１〜Ｘ１とを含み、Ｋ１およびＸ１は、正の整数である。第２のリソースセットは、ＳＳブロックリソース１〜Ｋ２と、ＣＳＩ−ＲＳリソース１〜Ｘ２とを含み、Ｋ２およびＸ２は、正の整数である。第３のリソースセットは、１つのみのタイプのリソース、例えば、ＣＳＩ−ＲＳリソース１〜Ｘ３を含み、Ｘ３は、正の整数である。種々の実施形態によると、整数Ｋ１、Ｘ１、Ｋ２、Ｘ２、およびＸ３は、相互に等しい場合とそうではない場合がある。したがって、第１および第２のリソースセットのそれぞれ内に、２つの異なるタイプのＲＳが、含有され、新しいリソースＩＤが、異なるタイプのＲＳを含有する、各リソースセットに割り当てられることができる。いくつかの実施形態では、新しいリソースＩＤは、リソースセット内のＲＳの優先順位を示すことができる。例えば、リソースＩＤのより高い範囲内のリソースＩＤは、対応するリソースセット内において、ＣＳＩ−ＲＳリソースが、同一リソースセット内のＳＳブロックリソースより高い優先順位を有することを示し得る。例えば、より高い優先順位を有することは、ＣＳＩ−ＲＳリソースと関連付けられたビームが、最初に利用され、ＳＳブロックビームが、ＣＳＩ−ＲＳリソースのいずれも所定の基準（例えば、閾値ＲＳＲＰ値）を満たさない場合のみ利用されることを意味する。
【００５１】
図７に示されるように、それぞれ、１つ以上のタイプのリソースを含有する、３つのリソースセットは、３つの個別のリンク（すなわち、伝送のために使用される共通リソース）と、ＵＥに送信される１つのビームレポートと関連付けられることができる。種々の実施形態によると、本開示の原理は、Ｌ個のリンクとＮ個のリソースセットとＭ個のビームレポートとを関連付けることに適用されることができ、Ｌ、Ｎ、およびＭは、０を上回る正の整数であって、これは、相互に等しい場合とそうではない場合があることを理解されたい。
【００５２】
いくつかの実施形態では、複数のリソースセットが、ＢＳ１０２によって定義されるような１つのレポート設定と関連付けられることができ、各リソースセットは、１つのみのタイプのＲＳを含む。いくつかの実施形態では、ＢＳ１０２によって定義されたレポート設定は、ＵＥ１０４に、ＵＥによって受信された複数の基準信号タイプ、所定のルール、優先順位等に基づいて、レポートを作成する方法を知らせる。例えば、図７に示されるように、第１のリソースセットは、ＳＳブロックリソース１〜Ｋのみを含み、第２のリソースセットは、ＣＳＩ−ＲＳリソース１〜Ｘのみを含み、ＫおよびＸは、０を上回る正の整数であって、これは、相互に等しい場合とそうではない場合がある。図８に示されるように、ＣＳＩ−ＲＳリソースのみを含有する、第１のリソースセット＃１と、ＳＳブロックリソースのみを含有する、第２のリソースセット＃２は、個別のリンクと関連付けられ、これは、１つのビームレポートセッションと関連付けられる。いくつかの実施形態では、ＢＳは、異なるＲＳの優先順位を構成することができる。例えば、ＵＥは、受信されたＣＳＩ−ＲＳ信号に基づいて、ビーム測定を実施する。１つ以上のＣＳＩ−ＲＳと関連付けられたＲＳＲＰが、閾値を上回る場合、ビームレポートは、ＣＳＩ−ＲＳ測定のみに基づいて行われ、そうでなければ、ビームレポートはまた、ＳＳブロックリソースに基づいて実施される。
【００５３】
いくつかの実施形態では、第１のリソースセットは、ＣＳＩ−ＲＳリソースのみを備え、第１のリンクおよび第１のビームレポート設定と関連付けられてもよい一方、第２のリソースセットは、ＳＳブロックリソースのみを備え、第２のリンクおよび第２のビームレポート設定と関連付けられてもよい。本簡略化されたシナリオは、図９に示され、各レポート設定は、１つのみのタイプのＲＳと関連付けられる。いくつかの実施形態では、ＵＥ１０４は、ビームレポートを実施するが、ビーム関連フィードバック情報（例えば、リソースインジケータ、ポートインジケータ、およびＲＳＲＰ）は、下記の表１−２に示されるように、ＲＳのタイプに基づいてグループ化されることができる。いくつかの実施形態では、１つのレポートされるグループ内では、１つのみのビームの情報が、その絶対値としてレポートされ、他のビームの対応する値は、絶対値に対する相対値としてレポートされる。
【表１】
2020519145.tif 000003
【表２】
2020519145.tif 000004
【００５４】
いくつかの実施形態では、ＵＥによって受信された異なるタイプのＲＳの受信された電力における差異は、ＵＥによってレポートされる。加えて、ＵＥは、ビームレポートのために、ＲＳのタイプ毎に受信されたＲＳＲＰおよび伝送電力の両方を決定することができる。本情報は、下記の表３に示されるシステム情報によって、事前に定義されるように、または独立して、ＲＳリソース設定内に構成されることができる。
【表３】
2020519145.tif 000005
【００５５】
いくつかの実施形態では、異なる閾値が、異なるＲＳタイプのために事前に定義される。例えば、いくつかの実施形態では、そのＲＳＲＰ値が所定の閾値を上回るＲＳリソースのみが、レポートされる一方、他のＲＳリソースは、レポートされない。いくつかの実施形態では、異なるＲＳタイプのための異なる閾値セットは、ＢＳによって定義および記憶される。
（ビーム復元の間のハイブリッドビームレポート）
【００５６】
いくつかの実施形態では、周期的ＣＳＩ−ＲＳおよびＳＳブロックリソースの両方が、ＢＳによって、新しいビームを見出すように構成される。例えば、ＵＥが、アップリンク（ＵＬ）伝送のために、ＢＳと同期されると、周期的ＣＳＩ−ＲＳおよびＳＳブロック信号の両方が、ＵＥによってビームレポートを生成するために使用されることができ、これは、例えば、ビーム復元のためのＰＵＣＣＨの使用を図示する、図１０に示されるように、物理アップリンク制御チャネル（ＰＵＣＣＨ）リソースを介して、スケジューリング要求（ＳＲ）とともに伝送される。本シナリオでは、ＢＳは、ビーム復元シグナリングレポートのためのある伝送機会を構成する。ビーム復元のための条件が満たされる場合、ＵＥは、伝送機会において、ＰＵＣＣＨ領域内に位置するＳＳブロックまたはＣＳＩ−ＲＳのいずれかと関連付けられた新しい潜在的ＤＬＴｘビームをレポートすることを所望する。２つの種類のレポートフォーマット、すなわち、（１）ＲＳタイプ＋ＲＳリソース／ポートＩＤおよび（２）ＲＳリソース／ポートＩＤのみが存在する。いくつかの実施形態では、ＣＳＩ−ＲＳおよびＳＳブロックＩＤの再付番または置換に基づく汎用ＩＤが、第２のフォーマットにおいて使用されることができる。続いて、ＵＥは、ＢＳからのスケジュールインジケーションまたは確認シグナリングを検出することができる。本シグナリングを受信後、すなわち、図１０における時間ｎ後、ＵＥは、ＰＵＣＣＨ、ＰＵＳＣＨ、またはさらにＭＡＣ−ＣＥシグナリングを介して、ビームレポート情報を送信することができる。
【００５７】
いくつかの実施形態では、同期ＵＬ通信のために、最良ダウンリンク（ＤＬ）伝送（Ｔｘ）ビームが、最初に、少なくとも１つの利用可能な通信リンクを確立するためにレポートされ、同一または類似する空間パラメータに基づいて相互とＱＣＬされる、ＳＳブロックまたはＣＳＩ−ＲＳリソースのいずれかと関連付けられることができる。
【００５８】
リソースセットが、１つのみまたは２つ以上のタイプのＲＳを有するかどうかに応じて、２つの可能性として考えられるタイプのレポートフォーマットが存在する。リソースセットが、１つのみのタイプのＲＳを有する場合、レポートフォーマットは、リソース／ポートＩＤのみを含む。リソースセットが、２つ以上のタイプのＲＳを有する場合、レポートフォーマットは、ＲＳタイプ＋リソース／ポートＩＤを含む。通信リンクが確立された後、ＵＥは、さらなるスケジューリングプロセスを実施し、ビームレポートを完成することができ、１つを上回るビームに関する情報またはさらなるビームグループ化情報が、適宜、レポートされることができる。
【００５９】
代替として、ＵＥが、アップリンク通信のために、ＢＳと同期されないとき、ＳＳブロック信号のみが、図１１に示されるように、物理ランダムアクセスチャネル（ＰＲＡＣＨ）またはＰＲＡＣＨ様チャネルを介したレポートのために、ビームレポートを生成するために使用される。図１１では、「ＢｅａｍＲｅｃ  Ｃｈａｎｎｅｌ」は、ＰＲＡＣＨまたはＰＲＡＣＨ様チャネルであることができる。図１０に図示されるシナリオと対照的に、本チャネルは、ビームレポートのために、巡回プレフィックス（ＣＰ）＋シーケンスモードを使用する。シーケンスは、１つの仮想ＵＥ  ＩＤと関連付けられることができる。ＢｅａｍＲｅｃ  Ｃｈａｎｎｅｌは、ＵＥがアップリンク通信のためにＢＳと同期されない、および／またはＵＥ  ＩＤが利用可能ではないときの使用のために非常に好適である。
【００６０】
上記に説明されるような非同期ＵＬ条件では、ＰＵＣＣＨは、ビームレポート（すなわち、ビーム復元シグナリング）のために使用されることができない。ＰＲＡＣＨおよびＰＲＡＣＨ様チャネルが、利用可能であるが、そのようなチャネルアーキテクチャは、固定され（すなわち、低柔軟性であって）、ＰＲＡＣＨ／ＰＲＡＣＨ様チャネルとＵＥ特有のＣＳＩ−ＲＳまたは構成可能ＣＳＩ−ＲＳとの間の関連付けを確立することが困難である。したがって、いくつかの実施形態による、非同期ＵＬ条件に関して、ＳＳブロック信号のみが、ビーム測定および後続ビームレポートのために使用される。
【００６１】
図１０および１１に関して上記に議論されるように、本明細書に説明されるＣＳＩ−ＲＳおよびＳＳブロック信号等の異なるタイプのＲＳを利用することは、異なる方法またはレベルのビーム復元を提供することができる。加えて、本明細書に説明されるように、異なるタイプのＲＳは、異なるＲＳリソースが同一または類似するチャネル性質および／または伝送／受信性質を共有する場合、１つのセットにグループ化される、またはＱＣＬされることができる。加えて、ＱＣＬ関係は、異なるＲＳグループまたはセットを横断して引き継がれることができる。加えて、Ｌ個のリンクは、Ｎ個のリソースグループと関連付けられることができ、それぞれ、１つ以上のタイプのＲＳリソースを含有し、これは、個別のＵＥによって生成されたＭ個のビームレポートと関連付けられる。したがって、異なるタイプのＲＳが、同一レポートフォーマットおよび１つのレポート設定（すなわち、レポートウィンドウ）内で測定およびレポートされることができる。
【００６２】
加えて、ＵＥは、異なるタイプのＲＳをレポートするための異なる優先順位を定義または決定してもよい。第１の優先順位ＲＳが、最小限のＲＳＲＰまたは最小限のＳＮＲ／ＳＩＮＲ等のレポート条件を満たすことができない場合、第２の優先順位ＲＳが、レポートのために使用されることができる。種々の実施形態では、優先順位設定またはルールは、異なるタイプのＲＳのため、また、ＲＳの部分のために事前に定義されることができる。例えば、いくつかの実施形態では、ＲＳの第１のサブセットまたは部分は、ＲＳの第２のサブセットまたは部分より高い優先順位を有することができる。
【００６３】
種々の実施形態では、複数のタイプのＲＳが、レポートされることができ、同一タイプのＲＳに関連する情報は、グループ化されることができる。グループＩＤは、ＲＳのタイプを表すために使用されることができ、異なるＲＳのためのインジケータ／ＩＤは、独立して編成されることができる。ＵＥは、伝送電力またはＴＲＰから受信された異なるタイプのＲＳの間の電力差異を測定し、異なるタイプＲＳ測定をレポートするための異なる閾値およびビームレポートの目的のためのＲＳ測定選択または優先順位選択のための設定ルールを設定することができる。
【００６４】
本発明の種々の実施形態が、上記に説明されたが、それらは、限定としてではなく、実施例としてのみ提示されたことを理解されたい。同様に、種々の略図は、例示的アーキテクチャまたは構成を描写し得、これは、当業者が、本発明の例示的特徴および機能を理解することを可能にするために提供される。しかしながら、そのような当業者は、本発明は、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上記に説明される例示的実施形態のいずれかによって限定されるべきではない。
【００６５】
また、「第１」、「第２」等の指定を使用した本明細書における要素の任意の参照は、概して、それらの要素の量または順序を限定するものではないことを理解されたい。むしろ、これらの指定は、本明細書では、２つ以上の要素または要素のインスタンス間で区別する便宜的手段として使用されることができる。したがって、第１および第２の要素の参照は、２つのみの要素が採用され得ることまたは第１の要素がある様式において第２の要素に先行しなければならないことを意味するものではない。
【００６６】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、または任意のそれらの組み合わせによって表されることができる。
【００６７】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、命令を組み込む種々の形態のプログラムまたは設計コード（本明細書では、便宜上、「ソフトウェア」または「ソフトウェアモジュールと称され得る）、またはこれらの技法の任意の組み合わせによって実装されることができることを理解するであろう。
【００６８】
ハードウェア、ファームウェア、およびソフトウェアの本可換性を明確に図示するために、種々の例証的コンポーネント、ブロック、モジュール、回路、およびステップは、概して、その機能性の観点から上記に説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を特定の用途毎に種々の方法で実装することができるが、そのような実装決定は、本開示の範囲からの逸脱を生じさせるものではない。種々の実施形態によると、プロセッサ、デバイス、コンポーネント、回路、構造、機械、モジュール等は、本明細書に説明される機能のうちの１つ以上のものを実施するように構成されることができる。規定された動作または機能に関する、本明細書で使用されるような用語「〜ように構成される（ｃｏｎｆｉｇｕｒｅｄ  ｔｏ）」または「〜のために構成される（ｃｏｎｆｉｇｕｒｅｄ  ｆｏｒ）」は、規定された動作または機能を実施するように物理に構築される、プログラムされる、および／または配列される、プロセッサ、デバイス、コンポーネント、回路、構造、機械、モジュール等を指す。
【００６９】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、または任意のそれらの組み合わせを含み得る、集積回路（ＩＣ）内に実装される、またはそれによって実施されることができることを理解するであろう。論理ブロック、モジュール、および回路はさらに、アンテナおよび／または送受信機を含み、ネットワーク内またはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサはまた、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとして実装されることができる。
【００７０】
ソフトウェア内に実装される場合、機能は、１つ以上の命令またはコードとして、コンピュータ可読媒体上に記憶されることができる。したがって、本明細書に開示される方法またはアルゴリズムのステップは、コンピュータ可読媒体上に記憶されるソフトウェアとして実装されることができる。コンピュータ可読媒体は、コンピュータ記憶媒体および通信媒体の両方を含み、コンピュータプログラムまたはコードを１つの場所から別の場所に転送するように可能にされ得る、任意の媒体を含む。記憶媒体は、コンピュータによってアクセスされ得る、任意の利用可能な媒体であることができる。限定ではなく、一例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または所望のプログラムコードを命令またはデータ構造の形態で記憶するために使用され得、かつコンピュータによってアクセスされ得る、任意の他の媒体を含むことができる。
【００７１】
本書では、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、離散モジュールとして説明される。しかしながら、当業者に明白となるであろうように、２つ以上のモジュールが、組み合わせられ、本発明の実施形態に従って関連付けられた機能を実施する、単一モジュールを形成してもよい。
【００７２】
加えて、メモリまたは他の記憶装置および通信コンポーネントが、本発明の実施形態において採用されてもよい。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分配が、本発明から逸脱することなく使用されてもよいことが明白であろう。例えば、別個の処理論理要素またはコントローラによって実施されるように例証される機能性は、同一処理論理要素またはコントローラによって実施されてもよい。故に、具体的機能ユニットの参照は、厳密な論理または物理構造または編成を示すのではなく、説明される機能性を提供するための好適な手段の参照にすぎない。
【００７３】
本開示に説明される実装の種々の修正が、当業者に容易に明白となり、本明細書に定義された一般的原理は、本開示の範囲から逸脱することなく、他の実装に適用されることができる。したがって、本開示は、本明細書に示される実装に限定されることを意図するものではなく、下記の請求項において規定されるように、本明細書に開示される新規特徴および原理と一致する最も広い範囲と見なされる。
【図１】
2020519145.tif 000006
【図２】
2020519145.tif 000007
【図３】
2020519145.tif 000008
【図４】
2020519145.tif 000009
【図５】
2020519145.tif 000010
【図６】
2020519145.tif 000011
【図７】
2020519145.tif 000012
【図８】
2020519145.tif 000013
【図９】
2020519145.tif 000014
【図１０】
2020519145.tif 000015
【図１１】
2020519145.tif 000016
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
方法であって、
第１の基準信号と第２の基準信号との間の関係を決定することであって、前記第１および第２の基準信号は、擬似共有配置（ＱＣＬ）される、ことと、
第１および第２のリソースをグループ化し、無線通信ノードに配分されるべき第１のリソースグループを形成することであって、前記第１のリソースグループは、第１の通信リンクおよび第１のレポート設定と関連付けられる、ことと、
前記第１および第２の基準信号をそれぞれ前記第１および第２のリソースを用いて前記無線通信ノードに伝送することと
を含む、方法。
【請求項２】
前記第１の基準信号は、第１の基準信号タイプであり、前記第２の基準信号は、前記第１の基準信号タイプと異なる第２の基準信号タイプである、請求項１に記載の方法。
【請求項３】
Ｎ個のリソースの第１のセットは、前記第１の基準信号に配分され、Ｍ個のリソースの第２のセットは、前記第２の基準信号に配分され、Ｎ＝ＭＫであり、Ｎ、Ｍ、およびＫは、正の整数であり、前記第２のセットの１個のリソースおよび前記第１のセットの個別のＫ個のリソースは、順番に、ＱＣＬされる、請求項１に記載の方法。
【請求項４】
前記Ｋの値は、前記無線通信ノードに示される、請求項３に記載の方法。
【請求項５】
前記第１の基準信号は、チャネル状態情報基準信号を備え、前記第２の基準信号は、同期信号ブロックを備え、前記第１のリソースは、第１の複数のリソースブロックを備え、前記第２のリソースは、第２の複数のリソースブロックを備え、前記第１の複数のリソースブロックと関連付けられた伝送性質は、前記第２の複数のリソースブロックと関連付けられた伝送性質と異なる、請求項１に記載の方法。
【請求項６】
方法であって、
第１のリソースを使用して伝送される第１の基準信号を受信することと、
第２のリソースを使用して伝送される第２の基準信号を受信することであって、前記第１および第２の基準信号は、ＱＣＬされ、前記第１および第２のリソースは、グループ化され、第１の通信リンクに関連付けられた第１のリソースグループを形成する、ことと、
前記第１の基準信号と関連付けられた第１の信号品質パラメータを測定することと、
少なくとも前記測定された第１の信号品質パラメータに基づいて、レポートを生成することであって、前記レポートは、前記第１および第２のリソースの両方についての情報を含む、ことと、
前記レポートを通信ノードに伝送することと
を含む、方法。
【請求項７】
前記第１の基準信号は、第１の基準信号タイプであり、前記第２の基準信号は、前記第１の基準信号タイプと異なる第２の基準信号タイプである、請求項６に記載の方法。
【請求項８】
Ｎ個のリソースの第１のセットは、前記第１の基準信号に配分され、Ｍ個のリソースの第２のセットは、前記第２の基準信号に配分され、Ｎ＝ＭＫであり、Ｎ、Ｍ、およびＫは、正の整数であり、前記第２のセットの１個のリソースおよび前記第１のセットの個別のＫ個のリソースは、順番に、ＱＣＬされる、請求項６に記載の方法。
【請求項９】
前記Ｋの値のインジケーションを前記通信ノードからさらに受信する、請求項８に記載の方法。
【請求項１０】
前記第１の基準信号は、チャネル状態情報基準信号を備え、前記第２の基準信号は、同期信号ブロックを備え、前記第１のリソースは、第１の複数のリソースブロックを備え、前記第２のリソースは、第２の複数のリソースブロックを備え、前記第１の複数のリソースブロックと関連付けられた伝送性質は、前記第２の複数のリソースブロックと関連付けられた伝送性質と異なる、請求項６に記載の方法。
【請求項１１】
通信ノードであって、
第１の基準信号と第２の基準信号との間の関係を決定するための少なくとも１つのプロセッサであって、前記第１および第２の基準信号は、ＱＣＬされる、プロセッサと、
メモリであって、前記メモリは、第１および第２のリソースをグループ化することによって形成される第１のリソースグループに関する情報を記憶するように構成されており、前記第１のリソースグループは、無線通信ノードに配分され、前記第１のリソースグループは、第１の通信リンクおよび第１のレポート設定と関連付けられる、メモリと、
前記第１および第２の基準信号をそれぞれ前記第１および第２のリソースを用いて前記無線通信ノードに伝送するように構成される送信機と
を備える、通信ノード。
【請求項１２】
前記第１の基準信号は、第１の基準信号タイプであり、前記第２の基準信号は、前記第１の基準信号タイプと異なる第２の基準信号タイプである、請求項１１に記載の通信ノード。
【請求項１３】
Ｎ個のリソースの第１のセットは、前記第１の基準信号に配分され、Ｍ個のリソースの第２のセットは、前記第２の基準信号に配分され、Ｎ＝ＭＫであり、Ｎ、Ｍ、およびＫは、正の整数であり、前記第２のセットの１個のリソースおよび前記第１のセットの個別のＫ個のリソースは、順番に、ＱＣＬされる、請求項１１に記載の通信ノード。
【請求項１４】
前記第１の基準信号は、チャネル状態情報基準信号を備え、前記第２の基準信号は、同期信号ブロックを備え、前記第１のリソースは、第１の複数のリソースブロックを備え、前記第２のリソースは、第２の複数のリソースブロックを備え、前記第１の複数のリソースブロックと関連付けられた伝送性質は、前記第２の複数のリソースブロックと関連付けられた伝送性質と異なる、請求項１１に記載の通信ノード。
【請求項１５】
前記少なくとも１つのプロセッサはさらに、第３の基準信号と第４の基準信号との間の関係を決定するように構成され、前記第３の基準信号は、第３の基準信号タイプを備え、前記第４の基準信号は、前記第３の基準信号タイプと異なる第４の基準信号タイプを備え、前記第３および第４の基準信号は、ＱＣＬされ、
前記メモリはさらに、第３および第４のリソースをグループ化することによって形成される第２のリソースグループに関する情報を記憶するように構成されており、前記第２のリソースグループは、前記無線通信ノードに配分され、
前記送信機はさらに、第３および第４の基準信号をそれぞれ前記第３および第４のリソースを用いて前記無線通信ノードに伝送するように構成される、
請求項１１に記載の通信ノード。
【請求項１６】
第１の通信ノードであって、
受信機であって、前記受信機は、
第１のリソースを使用して伝送される第１の基準信号を受信することと、
第２のリソースを使用して伝送される第２の基準信号を受信することであって、前記第１および第２の基準信号は、ＱＣＬされ、前記第１および第２のリソースは、グループ化され、第１の通信リンクに関連付けられた第１のリソースグループを形成する、ことと
を行うように構成される、受信機と、
少なくとも１つのプロセッサであって、前記少なくとも１つのプロセッサは、
前記第１の基準信号と関連付けられた第１の信号品質パラメータを決定することと、
少なくとも測定された第１の信号品質パラメータに基づいて、レポートを生成することと
を行うように構成され、前記レポートは、前記第１および第２のリソースの両方に関する情報を含む、少なくとも１つのプロセッサと、
前記レポートを第２の通信ノードに伝送するように構成される送信機と
を備える、第１の通信ノード。
【請求項１７】
前記第１の基準信号は、第１の基準信号タイプであり、前記第２の基準信号は、前記第１の基準信号タイプと異なる第２の基準信号タイプである、請求項１６に記載の第１の通信ノード。
【請求項１８】
Ｎ個のリソースの第１のセットは、前記第１の基準信号に配分され、Ｍ個のリソースの第２のセットは、前記第２の基準信号に配分され、Ｎ＝ＭＫであり、Ｎ、Ｍ、およびＫは、正の整数であり、前記第２のセットの１個のリソースおよび前記第１のセットの個別のＫ個のリソースは、順番に、ＱＣＬされる、請求項１６に記載の第１の通信ノード。
【請求項１９】
前記第１の基準信号は、チャネル状態情報基準信号を備え、前記第２の基準信号は、同期信号ブロックを備え、前記第１のリソースは、第１の複数のリソースブロックを備え、前記第２のリソースは、第２の複数のリソースブロックを備え、前記第１の複数のリソースブロックと関連付けられた伝送性質は、前記第２の複数のリソースブロックと関連付けられた伝送性質と異なる、請求項１６に記載の第１の通信ノード。
【手続補正２】
【補正対象書類名】明細書
【補正対象項目名】０００６
【補正方法】変更
【補正の内容】
【０００６】
さらに別の実施形態では、通信ノードは、受信機であって、第１のリソースを使用して伝送される第１のタイプの第１の基準信号を受信することと、第２のリソースを使用して伝送される第１のタイプと異なる第２のタイプの第２の基準信号を受信することとを行うように構成され、第１および第２の基準信号は、チャネル性質、伝送性質、および受信性質といった性質のうちの同一または類似する１つ以上のものを共有する、受信機と、少なくとも１つのプロセッサであって、第１の基準信号と関連付けられた第１の信号品質パラメータを決定することと、少なくとも測定された第１の信号品質パラメータに基づいて、ビームレポートを生成することとを行うように構成される、少なくとも１つのプロセッサと、ビームレポートを第２の通信ノードに伝送するように構成される、送信機とを含む。
（項目１）
方法であって、
第１の基準信号と第２の基準信号との間の関係を決定することであって、上記第１および第２の基準信号は、チャネル性質、伝送性質、および受信性質といった性質のうちの同一または類似する１つ以上のものを共有する、ことと、
上記第１および第２の基準信号を無線通信ノードに伝送することと
を含む、方法。
（項目２）
上記第１の基準信号は、第１の基準信号タイプであり、上記第２の基準信号は、上記第１の基準信号タイプと異なる第２の基準信号タイプである、項目１に記載の方法。
（項目３）
Ｎ個のリソースの第１のセットは、上記第１の基準信号に配分され、Ｍ個のリソースの第２のセットは、上記第２の基準信号に配分され、Ｎ＝ＭＫであり、Ｎ、Ｍ、およびＫは、正の整数であり、上記第２のセットの１個のリソースおよび上記第１のセットの個別のＫ個のリソースは、順番に、チャネル性質、伝送性質、および受信性質といった性質のうちの同一または類似する１つ以上のものを共有する、項目１に記載の方法。
（項目４）
上記Ｋの値は、上記無線通信ノードに示される、項目３に記載の方法。
（項目５）
上記第１および第２の基準信号は、それぞれ、第１および第２のリソースを使用して伝送され、上記方法はさらに、上記第１および第２のリソースをグループ化し、上記無線通信ノードに配分されるべき第１のリソースグループを形成することを含む、項目１に記載の方法。
（項目６）
上記第１の基準信号は、チャネル状態情報基準信号を備え、上記第２の基準信号は、同期信号ブロックを備え、上記第１のリソースは、第１の複数のリソースブロックを備え、上記第２のリソースは、第２の複数のリソースブロックを備え、上記第１の複数のリソースブロックと関連付けられた伝送性質は、上記第２の複数のリソースブロックと関連付けられた伝送性質と異なる、項目５に記載の方法。
（項目７）
上記第１のリソースグループは、第１の通信リンクおよび第１のレポート設定と関連付けられる、項目５に記載の方法。
（項目８）
第３の基準信号と第４の基準信号との間の関係を確立することであって、上記第３の基準信号は、第３の基準信号タイプを備え、上記第４の基準信号は、上記第３の基準信号タイプと異なる第４の基準信号タイプを備え、上記第３および第４の基準信号は、チャネル性質、伝送性質、および受信性質といった性質のうちの同一または類似する１つ以上のものを共有する、ことと、
上記第３および第４の基準信号を上記無線通信ノードに伝送することと
をさらに含む、項目１に記載の方法。
（項目９）
上記第３および第４の基準信号は、それぞれ、第３および第４のリソースを使用して伝送され、上記方法はさらに、上記第３および第４のリソースをグループ化し、上記無線通信ノードに配分されるべき第２のリソースグループを形成することを含む、項目８に記載の方法。
（項目１０）
上記第３の基準信号は、チャネル状態情報基準信号を備え、上記第４の基準信号は、同期信号ブロックを備え、上記第３のリソースは、第３の複数のリソースブロックを備え、上記第４のリソースは、第４の複数のリソースブロックを備え、上記第３の複数のリソースブロックと関連付けられた伝送性質は、上記第４の複数のリソースブロックと関連付けられた伝送性質と異なる、項目９に記載の方法。
（項目１１）
上記第１および第２のリソースグループはそれぞれ、個別の第１および第２の通信リンクおよび共通レポート設定と関連付けられる、項目９に記載の方法。
（項目１２）
上記第１および第２のリソースグループはそれぞれ、個別の第１および第２の通信リンクおよび個別の第１および第２のレポート設定と関連付けられる、項目９に記載の方法。
（項目１３）
方法であって、
第１のリソースを使用して伝送される第１の基準信号を受信することと、
第２のリソースを使用して伝送される第２の基準信号を受信することであって、上記第１および第２の基準信号は、チャネル性質、伝送性質、および受信性質といった性質のうちの同一または類似する１つ以上のものを共有する、ことと、
上記第１の基準信号と関連付けられた第１の信号品質パラメータを測定することと、
少なくとも上記測定された第１の信号品質パラメータに基づいて、レポートを生成することと、
上記レポートを通信ノードに伝送することと
を含む、方法。
（項目１４）
上記第１の基準信号は、第１の基準信号タイプであり、上記第２の基準信号は、上記第１の基準信号タイプと異なる第２の基準信号タイプである、項目１３に記載の方法。
（項目１５）
Ｎ個のリソースの第１のセットは、上記第１の基準信号に配分され、Ｍ個のリソースの第２のセットは、上記第２の基準信号に配分され、Ｎ＝ＭＫであり、Ｎ、Ｍ、およびＫは、正の整数であり、上記第２のセットの１個のリソースおよび上記第１のセットの個別のＫ個のリソースは、順番に、チャネル性質、伝送性質、および受信性質といった性質のうちの同一または類似する１つ以上のものを共有する、項目１３に記載の方法。
（項目１６）
上記Ｋの値のインジケーションを上記通信ノードからさらに受信する、項目１５に記載の方法。
（項目１７）
上記第１および第２のリソースは、グループ化され、第１のリソースグループを形成する、項目１３に記載の方法。
（項目１８）
上記第１の基準信号は、チャネル状態情報基準信号を備え、上記第２の基準信号は、同期信号ブロックを備え、上記第１のリソースは、第１の複数のリソースブロックを備え、上記第２のリソースは、第２の複数のリソースブロックを備え、上記第１の複数のリソースブロックと関連付けられた伝送性質は、上記第２の複数のリソースブロックと関連付けられた伝送性質と異なる、項目１３に記載の方法。
（項目１９）
第３のリソースを使用して伝送される第１のタイプの第３の基準信号を受信することと、
第４のリソースを使用して伝送される第２のタイプの第４の基準信号を受信することであって、上記第３および第４の基準信号は、チャネル性質、伝送性質、および受信性質といった性質のうちの同一または類似する１つ以上のものを共有する、ことと、
少なくとも上記第３の基準信号と関連付けられた第２の信号品質パラメータを測定することであって、上記レポートは、少なくとも上記測定された第１および第２の信号品質パラメータに基づく、ことと
をさらに含む、項目１３に記載の方法。
（項目２０）
上記第３および第４のリソースは、グループ化され、第２のリソースグループを形成する、項目１９に記載の方法。
（項目２１）
上記第３の基準信号は、チャネル状態情報基準信号を備え、上記第４の基準信号は、同期信号ブロックを備え、上記第３のリソースは、第３の複数のリソースブロックを備え、上記第４のリソースは、第４の複数のリソースブロックを備え、上記第３の複数のリソースブロックと関連付けられた伝送性質は、上記第４の複数のリソースブロックと関連付けられた伝送性質と異なる、項目１９に記載の方法。
（項目２２）
上記第１および第２のリソースグループはそれぞれ、個別の第１および第２の通信リンクと関連付けられ、上記第１および第２のリソースグループに関する情報は、上記レポート内に含有される、項目１９に記載の方法。
（項目２３）
上記第１のリソースグループは、第１の通信リンクと関連付けられ、上記レポートは、上記第１および第２のリソースの両方についての情報を含有する、項目１３に記載の方法。
（項目２４）
上記測定された第１の信号品質パラメータが所定の基準を満たさないとき、上記第２の基準信号と関連付けられた第２の信号品質パラメータを測定することをさらに含み、上記レポートはさらに、上記測定された第２の信号品質パラメータに基づく、項目１３に記載の方法。
（項目２５）
通信ノードであって、
第１の基準信号と第２の基準信号との間の関係を決定するための少なくとも１つのプロセッサであって、上記第１および第２の基準信号は、チャネル性質、伝送性質、および受信性質といった性質のうちの同一または類似する１つ以上のものを共有する、プロセッサと、
上記第１および第２の基準信号を無線通信ノードに伝送するように構成される送信機と
を備える、通信ノード。
（項目２６）
上記第１の基準信号は、第１の基準信号タイプであり、上記第２の基準信号は、上記第１の基準信号タイプと異なる第２の基準信号タイプである、項目２５に記載の通信ノード。
（項目２７）
Ｎ個のリソースの第１のセットは、上記第１の基準信号に配分され、Ｍ個のリソースの第２のセットは、上記第２の基準信号に配分され、Ｎ＝ＭＫであり、Ｎ、Ｍ、およびＫは、正の整数であり、上記第２のセットの１個のリソースおよび上記第１のセットの個別のＫ個のリソースは、順番に、チャネル性質、伝送性質、および受信性質といった性質のうちの同一または類似する１つ以上のものを共有する、項目２５に記載の通信ノード。
（項目２８）
上記Ｋの値は、上記無線通信ノードに示される、項目２７に記載の通信ノード。
（項目２９）
上記第１および第２の基準信号は、それぞれ、第１および第２のリソースを使用して伝送され、メモリが、上記第１および第２のリソースをグループ化することによって形成される第１のリソースグループに関する情報を記憶し、上記第１のリソースグループは、上記無線通信ノードに配分される、項目２５に記載の通信ノード。
（項目３０）
上記第１の基準信号は、チャネル状態情報基準信号を備え、上記第２の基準信号は、同期信号ブロックを備え、上記第１のリソースは、第１の複数のリソースブロックを備え、上記第２のリソースは、第２の複数のリソースブロックを備え、上記第１の複数のリソースブロックと関連付けられた伝送性質は、上記第２の複数のリソースブロックと関連付けられた伝送性質と異なる、項目２９に記載の通信ノード。
（項目３１）
上記第１のリソースグループは、第１の通信リンクおよび第１のレポート設定と関連付けられる、項目２９に記載の通信ノード。
（項目３２）
上記少なくとも１つのプロセッサはさらに、第３の基準信号と第４の基準信号との間の関係を決定するように構成され、上記第３の基準信号は、第３の基準信号タイプを備え、上記第４の基準信号は、上記第３の基準信号タイプと異なる第４の基準信号タイプを備え、上記第３および第４の基準信号は、チャネル性質、伝送性質、および受信性質といった性質のうちの同一または類似する１つ以上のものを共有し、
上記送信機はさらに、第３および第４の基準信号を上記無線通信ノードに伝送するように構成される、
項目２５に記載の通信ノード。
（項目３３）
上記第３および第４の基準信号は、それぞれ、第３および第４のリソースを使用して伝送され、上記メモリはさらに、上記第３および第４のリソースをグループ化することによって形成される第２のリソースグループに関する情報を記憶し、上記第２のリソースグループは、上記無線通信ノードに配分される、項目３２に記載の通信ノード。
（項目３４）
上記第３の基準信号は、チャネル状態情報基準信号を備え、上記第４の基準信号は、同期信号ブロックを備え、上記第３のリソースは、第３の複数のリソースブロックを備え、上記第４のリソースは、第４の複数のリソースブロックを備え、上記第３の複数のリソースブロックと関連付けられた伝送性質は、上記第４の複数のリソースブロックと関連付けられた伝送性質と異なる、項目３３に記載の通信ノード。
（項目３５）
上記第１および第２のリソースグループはそれぞれ、個別の第１および第２の通信リンクおよび共通レポート設定と関連付けられる、項目３３に記載の通信ノード。
（項目３６）
上記第１および第２のリソースグループはそれぞれ、個別の第１および第２の通信リンクおよび個別の第１および第２のレポート設定と関連付けられる、項目３３に記載の通信ノード。
（項目３７）
第１の通信ノードであって、
受信機であって、上記受信機は、
第１のリソースを使用して伝送される第１の基準信号を受信することと、
第２のリソースを使用して伝送される第２の基準信号を受信することであって、上記第１および第２の基準信号は、チャネル性質、伝送性質、および受信性質といった性質のうちの同一または類似する１つ以上のものを共有する、ことと
を行うように構成される、受信機と、
少なくとも１つのプロセッサであって、上記少なくとも１つのプロセッサは、
上記第１の基準信号と関連付けられた第１の信号品質パラメータを決定することと、
少なくとも測定された第１の信号品質パラメータに基づいて、レポートを生成することと
を行うように構成される、少なくとも１つのプロセッサと、
上記レポートを第２の通信ノードに伝送するように構成される送信機と
を備える、第１の通信ノード。
（項目３８）
上記第１の基準信号は、第１の基準信号タイプであり、上記第２の基準信号は、上記第１の基準信号タイプと異なる第２の基準信号タイプである、項目３７に記載の第１の通信ノード。
（項目３９）
Ｎ個のリソースの第１のセットは、上記第１の基準信号に配分され、Ｍ個のリソースの第２のセットは、上記第２の基準信号に配分され、Ｎ＝ＭＫであり、Ｎ、Ｍ、およびＫは、正の整数であり、上記第２のセットの１個のリソースおよび上記第１のセットの個別のＫ個のリソースは、順番に、チャネル性質、伝送性質、および受信性質といった性質のうちの同一または類似する１つ以上のものを共有する、項目３７に記載の第１の通信ノード。
（項目４０）
上記受信機はさらに、上記Ｋの値のインジケーションを上記通信ノードから受信するように構成される、項目３９に記載の第１の通信ノード。
（項目４１）
上記第１および第２のリソースは、グループ化され、上記第１の通信ノードに配分される第１のリソースグループを形成する、項目３７に記載の第１の通信ノード。
（項目４２）
上記第１の基準信号は、チャネル状態情報基準信号を備え、上記第２の基準信号は、同期信号ブロックを備え、上記第１のリソースは、第１の複数のリソースブロックを備え、上記第２のリソースは、第２の複数のリソースブロックを備え、上記第１の複数のリソースブロックと関連付けられた伝送性質は、上記第２の複数のリソースブロックと関連付けられた伝送性質と異なる、項目３７に記載の第１の通信ノード。
（項目４３）
上記受信機はさらに、
第３のリソースを使用して伝送される第１のタイプの第３の基準信号を受信することと、
第４のリソースを使用して伝送される第２のタイプの第４の基準信号を受信することであって、上記第３および第４の基準信号は、チャネル性質、伝送性質、および受信性質といった性質のうちの同一または類似する１つ以上のものを共有することと
を行うように構成され、
上記少なくともプロセッサはさらに、少なくとも上記第３の基準信号と関連付けられた第２の信号品質パラメータを決定するように構成され、上記レポートは、少なくとも上記測定された第１および第２の信号品質パラメータに基づく、
項目３７に記載の第１の通信ノード。
（項目４４）
上記第３および第４のリソースは、グループ化され、上記第１の通信ノードに配分される第２のリソースグループを形成する、項目４３に記載の第１の通信ノード。
（項目４５）
上記第３の基準信号は、チャネル状態情報基準信号を備え、上記第４の基準信号は、同期信号ブロックを備え、上記第３のリソースは、第３の複数のリソースブロックを備え、上記第４のリソースは、第４の複数のリソースブロックを備え、上記第３の複数のリソースブロックと関連付けられた伝送性質は、上記第４の複数のリソースブロックと関連付けられた伝送性質と異なる、項目４３に記載の第１の通信ノード。
（項目４６）
上記第１および第２のリソースグループはそれぞれ、個別の第１および第２の通信リンクと関連付けられ、上記第１および第２のリソースグループに関する情報は、上記レポート内に含有される、項目３７に記載の第１の通信ノード。
（項目４７）
上記第１のリソースグループは、第１の通信リンクと関連付けられ、上記レポートは、上記第１および第２のリソースの両方についての情報を含有する、項目３７に記載の第１の通信ノード。
（項目４８）
上記少なくとも１つのプロセッサはさらに、
上記決定された第１の信号品質パラメータが所定の基準を満たさないとき、上記第２の基準信号と関連付けられた第２の信号品質パラメータを決定するように構成され、上記レポートはさらに、上記測定された第２の信号品質パラメータに基づく、
項目３７に記載の第１の通信ノード。
【手続補正３】
【補正対象書類名】明細書
【補正対象項目名】００１７
【補正方法】変更
【補正の内容】
【００１７】
【図１０】図１０は、いくつかの実施形態による、周期的ＣＳＩ−ＲＳおよびＳＳブロック信号の両方が物理アップリンク制御チャネル（ＰＵＣＣＨ）リソースを介して伝送されるビームレポートを生成するために使用される、信号略図を図示する。
【図１１】図１１は、いくつかの実施形態による、ＳＳブロック信号のみが物理ランダムアクセスチャネル（ＰＲＡＣＨ）リソースを介して伝送されるビームレポートを生成するために用いられる信号略図を図示する。
【国際調査報告】
2020519145.tif 000017
2020519145.tif 000018